(57)【要約】【課題】  電磁ノイズをかなり抑制し、ステーター用巻き線からの汚れた微粒子の放出を防止するスピンドルモータを提供する。【解決手段】  中央のスピンドル２を保持する固定ベースフランジ１と、  スピンドル２上で回転するように適切なベアリング４を用いて位置決めされ、その上に少なくと一つの固定メモリディスクが配置され、内周部に永久磁石７を備えるハブ３と、永久磁石７に対向してべースフランジ１に配置されるステーター用巻き線９を備えるステーター８とを備え、ステーター８は、弾性材料１６により完全に押し出しコーティングされ、ベースフランジ１へ接続される。【選択図】  図１
2007116899.tif 000002
【特許請求の範囲】
【請求項１】
中央のスピンドルを保持する固定ベースフランジと、
前記スピンドル上で回転するように適切なベアリングを用いて位置決めされ、その上に少なくとも一つの固定メモリディスクが配置され、内周部にローター磁石を備えるハブと、
前記ローター磁石に対向して前記べースフランジに配置される、ステーター用巻き線を備えるステーターとを備え、
前記ステーターは、弾性材料により完全に押し出しコーティングされて前記ベースフランジへ接続されることを特徴とするスピンドルモータ。
【請求項２】
前記弾性材料は、熱可塑性合成材料であることを特徴とする請求項１記載のスピンドルモータ。
【請求項３】
前記ベースフランジにコネクタが設けられ、前記コネクタは、前記ステーター用巻き線用の接続線を電気的に接続するための複数の端子を備えることを特徴とする請求項１記載のスピンドルモータ。
【請求項４】
前記コネクタは、前記弾性材料を介して前記ベースフランジに強固に接続されることを特徴とする請求項３記載のスピンドルモータ。
【請求項５】
スピンドルモータのベースフランジにステーターを接続するための方法であって、
前記ステーターを各々成形型に固定し、同時に前記ベースフランジを前記成形型に挿入し、両構造部材を押し出しコーティングを通じて又はそれらの回りに材料を流し込むことにより一緒に固定することを特徴とする方法。
【発明の詳細な説明】
【技術分野】
【０００１】
本発明は、スピンドルモータに関し、特に、固定ディスクメモリを駆動するためのスピンドルモータに関するものである。
【背景技術】
【０００２】
固定ディスクメモリを駆動するためのスピンドルモータとして、例えば、米国特許第５，２１６，５５７号明細書に開示される、中央のスピンドルを支持する固定ベースフランジを備えるモータが知られている。さらに、スピンドル上で回転するように適切なベアリングに補助されて位置決めされているハブが備えられ、その上に配置される少なくとも一つの固定ディスクを有する。ハブは、内周部で、スピンドルモータのローターの一部を構成する永久磁石を備える磁気ヨークを保持する。
【０００３】
ステーター用巻き線を備えるステーターは、永久磁石に対向して標準的な方法で配置され、直接又はベースフランジの固定部により取り付けられる。
【０００４】
上記の公知のスピンドルモータの欠点としては、ステーターがベースフランジに固定されて接続され、電流が流れると、電磁界のためにステーター用巻き線で振動及びノイズが発生される。以下、これを電磁ノイズという。これらのノイズは、スピンドルモータ全体のノイズのうちかなりの部分を占める。
【０００５】
固定ディスクメモリの駆動源としてスピンドルモータを使用するとき、モータが清浄でダストがないことが必要である。上記のように、例えば、従来の保護されていないステーター用巻き線では、さらに、汚れた微粒子がモータの動作中にステーター用巻き線から放出されるという欠点もある。適切な対抗手段がとられなければ、これらの汚れた微粒子は、メモリディスクが組み立てられるクリーンルームに入ることができる。最悪の場合、固定メモリディスクの破壊を招く。
【発明の開示】
【発明が解決しようとする課題】
【０００６】
上記課題を解決するため、本発明の目的は、電磁ノイズをかなり抑制し、ステーター用巻き線からの汚れた微粒子の放出を防止するスピンドルモータを提供することである。
【課題を解決するための手段】
【０００７】
本発明のスピンドルモータは、中央のスピンドルを保持する固定ベースフランジと、前記スピンドル上で回転するように適切なベアリングを用いて位置決めされ、その上に少なくとも一つの固定メモリディスクが配置され、内周部にローター磁石を備えるハブと、前記ローター磁石に対向して前記べースフランジに配置される、ステーター用巻き線を備えるステーターとを備え、前記ステーターは、弾性材料により完全に押し出しコーティングされて前記ベースフランジへ接続される。
【０００８】
前記弾性材料は、熱可塑性合成材料であることが好ましく、さらに良好な防音性を有する。
【０００９】
本発明によれば、ステーターは、部分的に又は完全にベースフランジから金属的に絶縁されることができる。これにより、ベースフランジへの電磁ノイズの伝達を防止し、又は十分に抑制することができる。ステーター用巻き線を含んで全ステーターが防音性を有する弾性材料により覆われ、電磁ノイズがステーター自体から発生されないことにより、この効果が高められる。
【００１０】
さらに、ステーターの押し出しコーティングにより、ステーター用巻き線が完全に保護され、ステーター用巻き線から汚れた微粒子が外部へ出ないため、ダスト又は汚れた微粒子の放出が安全に防止される。
【００１１】
ステーターは、公知の生産方法を用いて生産されることができる。押し出しコーティング又は弾性材料を流し込むことによるコーティングでは、ステーターは、各々成形型に固定される。同時に、ベースフランジも、成形型に挿入され、両部品は、押し出しコーティングされ、一緒に固定される。
【発明を実施するための最良の形態】
【００１２】
以下、添付図面を参照しつつ本発明の一実施の形態について説明する。本実施の形態の基本的な付加された特徴及び利点は、以下の図面及び説明により理解されるであろう。
【００１３】
図１は、本発明の一実施の形態のスピンドルモータの断面図である。図１では、固定ディスクメモリの駆動用スピンドルモータを示している。スピンドルモータは、中央のスピンドル２を保持する固定ベースフランジ１を備える。略ベル形状のハブ３が備えられ、ハブ３は、適切なベアリング４によりスピンドル２上で回転するように位置決めされ、その上に少なくとも一つの固定メモリディスク（図示省略）が配置される。ベアリング４は、適切なシーリング手段５を用いて外部からシールされる。永久磁石７を備える磁気ヨーク６は、ハブ３の内周部に配置される。ハブ３、磁気ヨーク６及び永久磁石７は、スピンドルモータのローターの一部を構成する。ステーター用巻き線９を備えるステーター８は、ベースフランジ１に強固に接続され、永久磁石７に対向して配置される。
【００１４】
ステーター用巻き線９の電気的な接続は、その上に配置される端子１１を備えるコネクタ１０により行われる。コネクタ１０は、ベースフランジ１の下側に固定され、ベースフランジ１に設けられた凹部１３に突起部１２を係合させる。また、孔１４がコネクタ１０の突起部１２に設けられ、ステーター用巻き線９から始まる接続線１５がその孔を通して延び、端子１１へそれぞれ接続されることができる。
【００１５】
本発明に従えば、ステーター８は、弾性材料１６により完全に押し出しコーティングされ又は弾性材料１６内に流し込まれて同時に接続され、ベースフランジ１に強固に固定される。弾性材料１６は、弾力性のある状態で硬化する熱可塑性合成材料からなることが好ましい。また、コネクタ１０は、このプロセスを通じてベースフランジ１又はステーター８へ接続されてもよい。
【００１６】
接続線１５が配線されない領域において、ステーターを覆う弾性材料１６は、ベースフランジ１の凹部１３を完全に充填してもよく、その結果、ステーター８とベースフランジ１との間に特に良好な接続をもたらす。
【００１７】
以上、詳細に説明したが、上記の説明は、本発明を限定するものではなく、本発明の好ましい実施形態の説明にのみ役立つものである。
【図面の簡単な説明】
【００１８】
【図１】本発明の一実施の形態のスピンドルモータの断面図である。
【符号の説明】
【００１９】
１  ベースフランジ
２  スピンドル
３  ハブ
４  ベアリング
５  シーリング手段
６  磁気ヨーク
７  永久磁石
８  ステーター
９  ステーター用巻き線
１０  コネクタ
１１  端子
１２  突起部
１３  凹部
１４  孔
１５  接続線
１６  弾性材料
【図１】
2007116899.tif 000003
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
中央のスピンドルを保持する固定ベースフランジと、
前記スピンドル上で回転するように適切なベアリングを用いて位置決めされ、その上に少なくとも一つの固定メモリディスクが配置され、内周部にローター磁石を備えるハブと、
前記ローター磁石に対向して前記べースフランジに配置される、ステーター用巻き線を備えるステーターとを備え、
前記ステーターは、弾性材料により完全に押し出しコーティングされ、前記ベースフランジに形成された凹部に前記弾性材料を充填することによって前記ベースフランジへ接続されることを特徴とするスピンドルモータ。
【請求項２】
前記ステーターが前記凹部に隣接して配置されており、
前記凹部の断面形状は、該凹部を形成する対向側面がステーターから離れるにしたがって互いに離れるようなテーパー状に形成されていることを特徴とする請求項１に記載のスピンドルモータ。
【請求項３】
前記弾性材料は、熱可塑性合成材料であることを特徴とする請求項１又は２に記載のスピンドルモータ。
【請求項４】
前記ベースフランジにコネクタが設けられ、前記コネクタは、前記ステーター用巻き線用の接続線を電気的に接続するための複数の端子を備えることを特徴とする請求項１から３のいずれかに記載のスピンドルモータ。
【請求項５】
前記コネクタは、前記弾性材料を介して前記ベースフランジに強固に接続されることを特徴とする請求項４に記載のスピンドルモータ。
【請求項６】
前記ステーターは、前記ベースフランジに形成された凹部のうちの前記接続線が配線されていない凹部に前記弾性材料を充填することによって前記ベースフランジへ接続されることを特徴とする請求項４又は５に記載のスピンドルモータ。
【手続補正２】
【補正対象書類名】明細書
【補正対象項目名】全文
【補正方法】変更
【補正の内容】
【発明の詳細な説明】
【技術分野】
【０００１】
本発明は、スピンドルモータに関し、特に、固定ディスクメモリを駆動するためのスピンドルモータに関するものである。
【背景技術】
【０００２】
固定ディスクメモリを駆動するためのスピンドルモータとして、例えば、米国特許第５，２１６，５５７号明細書に開示される、中央のスピンドルを支持する固定ベースフランジを備えるモータが知られている。さらに、スピンドル上で回転するように適切なベアリングに補助されて位置決めされているハブが備えられ、その上に配置される少なくとも一つの固定ディスクを有する。ハブは、内周部で、スピンドルモータのローターの一部を構成する永久磁石を備える磁気ヨークを保持する。
【０００３】
ステーター用巻き線を備えるステーターは、永久磁石に対向して標準的な方法で配置され、直接又はベースフランジの固定部により取り付けられる。
【０００４】
上記の公知のスピンドルモータの欠点としては、ステーターがベースフランジに固定されて接続され、電流が流れると、電磁界のためにステーター用巻き線で振動及びノイズが発生される。以下、これを電磁ノイズという。これらのノイズは、スピンドルモータ全体のノイズのうちかなりの部分を占める。
【０００５】
固定ディスクメモリの駆動源としてスピンドルモータを使用するとき、モータが清浄でダストがないことが必要である。上記のように、例えば、従来の保護されていないステーター用巻き線では、さらに、汚れた微粒子がモータの動作中にステーター用巻き線から放出されるという欠点もある。適切な対抗手段がとられなければ、これらの汚れた微粒子は、メモリディスクが組み立てられるクリーンルームに入ることができる。最悪の場合、固定メモリディスクの破壊を招く。
【発明の開示】
【発明が解決しようとする課題】
【０００６】
上記課題を解決するため、本発明の目的は、電磁ノイズをかなり抑制し、ステーター用巻き線からの汚れた微粒子の放出を防止するスピンドルモータを提供することである。
【課題を解決するための手段】
【０００７】
本発明のスピンドルモータは、中央のスピンドルを保持する固定ベースフランジと、前記スピンドル上で回転するように適切なベアリングを用いて位置決めされ、その上に少なくとも一つの固定メモリディスクが配置され、内周部にローター磁石を備えるハブと、前記ローター磁石に対向して前記べースフランジに配置される、ステーター用巻き線を備えるステーターとを備え、前記ステーターは、弾性材料により完全に押し出しコーティングされ、前記ベースフランジに形成された凹部に前記弾性材料を充填することによって前記ベースフランジへ接続されることを特徴とする。
【０００８】
また、上記スピンドルモータにおいて、前記ステーターが前記凹部に隣接して配置されており、前記凹部の断面形状は、該凹部を形成する対向側面がステーターから離れるにしたがって互いに離れるようなテーパー状に形成されていることが好ましい。
【０００９】
前記弾性材料は、熱可塑性合成材料であることが好ましく、この場合、さらに良好な防音性を有することができる。
【００１０】
また、上記スピンドルモータにおいて、前記ベースフランジにコネクタが設けられており、前記コネクタは、前記ステーター用巻き線用の接続線を電気的に接続するための複数の端子を備えるように構成することができる。
【００１１】
前記コネクタは、前記弾性材料を介して前記ベースフランジに強固に接続されることが好ましい。
【００１２】
また、前記ステーターは、前記ベースフランジに形成された凹部のうちの前記接続線が配線されていない凹部に前記弾性材料を充填することによって前記ベースフランジへ接続されることが好ましい。
【００１３】
本発明によれば、ステーターは、部分的に又は完全にベースフランジから金属的に絶縁されることができる。これにより、ベースフランジへの電磁ノイズの伝達を防止し、又は十分に抑制することができる。ステーター用巻き線を含んで全ステーターが防音性を有する弾性材料により覆われ、電磁ノイズがステーター自体から発生されないことにより、この効果が高められる。
【００１４】
さらに、ステーターの押し出しコーティングにより、ステーター用巻き線が完全に保護され、ステーター用巻き線から汚れた微粒子が外部へ出ないため、ダスト又は汚れた微粒子の放出が安全に防止される。
【００１５】
ステーターは、公知の生産方法を用いて生産されることができる。押し出しコーティング又は弾性材料を流し込むことによるコーティングでは、ステーターは、各々成形型に固定される。同時に、ベースフランジも、成形型に挿入され、両部品は、押し出しコーティングされ、一緒に固定される。
【発明を実施するための最良の形態】
【００１６】
以下、添付図面を参照しつつ本発明の一実施の形態について説明する。本実施の形態の基本的な付加された特徴及び利点は、以下の図面及び説明により理解されるであろう。
【００１７】
図１は、本発明の一実施の形態のスピンドルモータの断面図である。図１では、固定ディスクメモリの駆動用スピンドルモータを示している。スピンドルモータは、中央のスピンドル２を保持する固定ベースフランジ１を備える。略ベル形状のハブ３が備えられ、ハブ３は、適切なベアリング４によりスピンドル２上で回転するように位置決めされ、その上に少なくとも一つの固定メモリディスク（図示省略）が配置される。ベアリング４は、適切なシーリング手段５を用いて外部からシールされる。永久磁石７を備える磁気ヨーク６は、ハブ３の内周部に配置される。ハブ３、磁気ヨーク６及び永久磁石７は、スピンドルモータのローターの一部を構成する。ステーター用巻き線９を備えるステーター８は、ベースフランジ１に強固に接続され、永久磁石７に対向して配置される。
【００１８】
ステーター用巻き線９の電気的な接続は、その上に配置される端子１１を備えるコネクタ１０により行われる。コネクタ１０は、ベースフランジ１の下側に固定され、ベースフランジ１に設けられた凹部１３に突起部１２を係合させる。また、孔１４がコネクタ１０の突起部１２に設けられ、ステーター用巻き線９から始まる接続線１５がその孔を通して延び、端子１１へそれぞれ接続されることができる。
【００１９】
本発明に従えば、ステーター８は、弾性材料１６により完全に押し出しコーティングされ又は弾性材料１６内に流し込まれて同時に接続され、ベースフランジ１に強固に固定される。弾性材料１６は、弾力性のある状態で硬化する熱可塑性合成材料からなることが好ましい。また、コネクタ１０は、このプロセスを通じてベースフランジ１又はステーター８へ接続されてもよい。
【００２０】
接続線１５が配線されない領域において、ステーターを覆う弾性材料１６は、ベースフランジ１の凹部１３を完全に充填してもよく、その結果、ステーター８とベースフランジ１との間に特に良好な接続をもたらす。
【００２１】
以上、詳細に説明したが、上記の説明は、本発明を限定するものではなく、本発明の好ましい実施形態の説明にのみ役立つものである。
【図面の簡単な説明】
【００２２】
【図１】本発明の一実施の形態のスピンドルモータの断面図である。
【符号の説明】
【００２３】
１  ベースフランジ
２  スピンドル
３  ハブ
４  ベアリング
５  シーリング手段
６  磁気ヨーク
７  永久磁石
８  ステーター
９  ステーター用巻き線
１０  コネクタ
１１  端子
１２  突起部
１３  凹部
１４  孔
１５  接続線
１６  弾性材料